(57)【要約】【課題】高断熱を実現することができ、また、床鳴りの発生を大幅に抑制ないしはなくすことができる床構造を提供する。【解決手段】例えば、大引２の側面部が床板下面側発泡樹脂断熱材４の側面部でカバーされると共に、大引２の下面側が断熱補強用発泡樹脂断熱材５でカバーされ、断熱補強用発泡樹脂断熱材５は、束軸１ｂに設けられたクリップ６によって落下阻止状態に保持され、大引２の側面部よりも外方に突出し、床板下面側発泡樹脂断熱材４が、その縁部を断熱補強用発泡樹脂断熱材５の突出部５ａに支承させて、床板３の下面側に落下阻止状態に保持されている。【選択図】      図１
2006283419.tif 000002
【特許請求の範囲】
【請求項１】
束の受けに金属製大引が支承された床構造において、
大引の側面部が床板下面側の発泡樹脂断熱材の側面部でカバーされると共に、大引の下面側が断熱補強用発泡樹脂断熱材でカバーされ、
該断熱補強用発泡樹脂断熱材は、束軸に設けられた保持部によって落下阻止状態に保持されると共に、大引の側面部よりも外方に突出しており、
前記床板下面側発泡樹脂断熱材が、その縁部を前記断熱補強用発泡樹脂断熱材の突出部に支承させて、床板の下面側に落下阻止状態に保持されていることを特徴とする床構造。
【請求項２】
束に設けられた保持部がクリップからなり、該クリップが束軸の所定の高さ位置に取り付けられて断熱補強用発泡樹脂断熱材が保持されている請求項１に記載の床構造。
【請求項３】
根太レスであり、床板が前記大引の上に支承されている請求項１に記載の床構造。
【請求項４】
大引レスであって根太レスであり、束の上端部に備えられた受け部に床板が支承され、
該受け部の下面側が断熱補強用発泡樹脂断熱材でカバーされると共に、該断熱補強用発泡樹脂断熱材は、束に設けられた保持部によって落下阻止状態に保持され、かつ、厚さ方向の下半部が前記受け部よりも側方に突出し、
床板下面側をカバーする発泡樹脂断熱材が、その縁部を前記断熱補強用発泡樹脂断熱材の側方突出部に支承させて、床板の下面側に落下阻止状態に保持されていることを特徴とする床構造。
【請求項５】
床板と金属製大引との間に、大引の延びる方向に向けられた根太が介設されると共に、床板の下面側から前記根太を除く他の根太が省略され、前記根太間に、床板の下面側をカバーする発泡樹脂断熱材が備えられ、該床板下面側発泡樹脂断熱材と根太とによって床板と前記大引との間が断熱されていることを特徴とする床構造。
【請求項６】
床板下面側発泡樹脂断熱材が、その側部を根太に係合保持されて、床板の下面側に落下阻止状態に保持されている請求項５に記載の床構造。
【請求項７】
床板がピース物のスペーサーを介して大引の上に支承されると共に、床板下面側の発泡樹脂断熱材が大引の上に支承されて床板の下面側に落下阻止状態に保持されていることを特徴とする床構造。
【請求項８】
前記大引が金属製大引からなり、床板下面側発泡樹脂断熱材がスペーサーを囲むようにして大引の上面部をカバーしている請求項７に記載の床構造。
【請求項９】
前記床板下面側の発泡樹脂断熱材と床板とが非接触状態に保持されている請求項１乃至８のいずれか一に記載の床構造。
【発明の詳細な説明】
【技術分野】
【０００１】
本発明は、高断熱、床鳴り防止を実現する床の構造に関する。
【背景技術】
【０００２】
床構造として、従来より、大引、根太、床板、発泡樹脂断熱材等を備えた様々なものが提供されているが、断熱が必ずしも万全ではなく、また、床鳴りの発生を効果的に低減させたものは、未だ提供されていない。
【発明の開示】
【発明が解決しようとする課題】
【０００３】
本発明は、上記のような背景において、高断熱を実現することができ、また、床鳴りの発生を大幅に抑制ないしはなくすことができる床構造を提供することを課題とする。
【課題を解決するための手段】
【０００４】
上記の課題は、束の受けに金属製大引が支承された床構造において、
大引の側面部が床板下面側の発泡樹脂断熱材の側面部でカバーされると共に、大引の下面側が断熱補強用発泡樹脂断熱材でカバーされ、
該断熱補強用発泡樹脂断熱材は、束軸に設けられた保持部によって落下阻止状態に保持されると共に、大引の側面部よりも外方に突出しており、
前記床板下面側発泡樹脂断熱材が、その縁部を前記断熱補強用発泡樹脂断熱材の突出部に支承させて、床板の下面側に落下阻止状態に保持されていることを特徴とする床構造によって解決される（第１発明）。
【０００５】
この床構造では、金属製大引の側面部が床板下面側発泡樹脂断熱材の側面部でカバーされると共に、金属製大引の下面側が断熱補強用発泡樹脂断熱材でカバーされているので、金属製大引による断熱欠損がなくされ、高断熱の床を実現することができる。
【０００６】
しかも、床板下面側発泡樹脂断熱材は、断熱補強用発泡樹脂断熱材の側方突出部に支承されることで床板の下面側に落下阻止状態に保持されているので、それらの間の断熱欠損をしっかりなくすことができると共に、床板下面側発泡樹脂断熱材を床板に取り付ける必要がなくなり、床板下面側発泡樹脂断熱材の施工を容易にすることができる。
【０００７】
上記の床構造において、束に設けられた保持部がクリップからなり、該クリップが束軸の所定の高さ位置に取り付けられて断熱補強用発泡樹脂断熱材が保持されている場合は、断熱補強用発泡樹脂断熱材を束軸に沿う最適な高さ位置に容易に保持させることができて、断熱補強用発泡樹脂断熱材の施工を容易にすることができる。
【０００８】
上記の床構造において、根太レスであり、床板が前記大引の上に支承されている場合は、根太との接触あるいは接合による床鳴りを防ぐことができ、根太レスであっても、上記のように大引は、床下に対して断熱されているので、床の断熱性能が損なわれることがなく、上記の高断熱をそのまま維持することができる。
【０００９】
また、上記の課題は、大引レスであって根太レスであり、束の上端部に備えられた受け部に床板が支承され、
該受け部の下面側が断熱補強用発泡樹脂断熱材でカバーされると共に、該断熱補強用発泡樹脂断熱材は、束に設けられた保持部によって落下阻止状態に保持され、かつ、厚さ方向の下半部が前記受け部よりも側方に突出し、
床板下面側をカバーする発泡樹脂断熱材が、その縁部を前記断熱補強用発泡樹脂断熱材の側方突出部に支承させて、床板の下面側に落下阻止状態に保持されていることを特徴とする床構造によって解決される（第２発明）。
【００１０】
この床構造では、床板の下面側が床板下面側発泡樹脂断熱材でカバーされると共に、束の受け部の下面側が断熱補強用発泡樹脂断熱材でカバーされているので、束の受け部による断熱欠損がなくされ、高断熱の床を実現することができる。
【００１１】
しかも、床板下面側発泡樹脂断熱材は、断熱補強用発泡樹脂断熱材の側方突出部に支承されることで床板の下面側に落下阻止状態に保持されているので、それらの間の断熱欠損をしっかりなくすことができると共に、床板下面側発泡樹脂断熱材を接着剤等で床板に取り付ける必要がなくなり、床板下面側発泡樹脂断熱材の施工を容易にすることができる。
【００１２】
加えて、大引レスであって根太レスであるから、床の施工の省力化が可能であると共に、大引や根太との接触あるいは接合による床鳴りを防ぐことができ、また、大引レス、根太レスであっても、床板や束の受け部は、床下に対して断熱されているので、床の断熱性能が損なわれることがなく、上記の高断熱をそのまま維持することができる。
【００１３】
また、上記の課題は、床板と金属製大引との間に、大引の延びる方向に向けられた根太が介設されると共に、床板の下面側から前記根太を除く他の根太が省略され、前記根太間に、床板の下面側をカバーする発泡樹脂断熱材が備えられ、該床板下面側発泡樹脂断熱材と根太とによって床板と前記大引との間が断熱されていることを特徴とする床構造によって解決される（第３発明）。
【００１４】
この構造では、根太が、大引の延びる方向に向けられ、床板と金属製大引との間に介設されているので、金属製大引による断熱欠損がなくされ、高断熱の床を実現することができる。
【００１５】
しかも、根太が、大引の延びる方向に向けられ、大引の上に設置されているので、根太と大引との間に隙間を生じるのを防ぐことができ、大引と根太との関係で発生していた床鳴りをなくすことができる。
【００１６】
上記の床構造において、床板下面側発泡樹脂断熱材が、その側部を根太に係合保持されて、床板の下面側に落下阻止状態に保持されている場合は、床板下面側発泡樹脂断熱材を床板に取り付ける必要がなくなり、床板下面側発泡樹脂断熱材の施工を容易にすることができる。
【００１７】
また、上記の課題は、床板がピース物のスペーサーを介して大引の上に支承されると共に、床板下面側の発泡樹脂断熱材が大引の上に支承されて床板の下面側に落下阻止状態に保持されていることを特徴とする床構造によって解決される（第４発明）。
【００１８】
この構造では、床板下面側発泡樹脂断熱材が大引の上に支承されているので、床板下面側発泡樹脂断熱材を床板に取り付ける必要がなくなり、床板下面側発泡樹脂断熱材の施工を容易にすることができる。しかも、ピース物のスペーサーによって床板とスペーサー、床板下面側発泡樹脂断熱材とスペーサー、大引とスペーサーの各接触面積を小さくすることができて、床鳴りの発生を有効的に防ぐことができる。
【００１９】
上記の床構造において、大引が金属製大引からなり、床板下面側発泡樹脂断熱材がスペーサーを囲むようにして大引の上面部をカバーしている場合は、金属製大引による断熱欠損を大幅に減らせて、高断熱の床を実現することができる。
【００２０】
また、上記の各床構造において、床板下面側の発泡樹脂断熱材と床板とが非接触状態に保持されている場合は、該発泡樹脂断熱材と床板との擦れに起因する床鳴りの発生を効果的に防ぐことができる。
【発明の効果】
【００２１】
本発明の床構造は、以上のとおりのものであるから、高断熱を実現することができ、また、床鳴りの発生を大幅に抑制ないしはなくすことができる。
【発明を実施するための最良の形態】
【００２２】
次に、本発明の実施最良形態を図面に基づいて説明する。
【００２３】
図１〜図３に示す第１発明の実施形態は、束１の金属製の受け部１ａに鋼製大引２が支承され、大引２の側面部が床板３の下面側の床板下面側発泡樹脂断熱材４の側面部でカバーされると共に、大引２の下面側と受け部１ａの下面側の両方が断熱補強用発泡樹脂断熱材５でカバーされている。
【００２４】
そして、断熱補強用発泡樹脂断熱材５は、束軸１ｂに設けられた保持部６によって落下阻止状態に保持され、大引２の側面部よりも外方に突出５ａし、床板下面側発泡樹脂断熱材４は、その縁部を断熱補強用発泡樹脂断熱材５の突出部５ａに支承させて、床板３の下面側に落下阻止状態に保持され、床板下面側発泡樹脂断熱材４と床板３とは非接触状態に保持されている。
【００２５】
また、束１に設けられた上記の保持部６は、クリップからなっており、該クリップ６が束軸１ｂの最適な高さ位置に側方からの差し込み操作によって取り付けられ、断熱補強用発泡樹脂断熱材５を落下阻止状態に支承保持している。更に、本実施形態では、根太レスであり、床板３が、大引２の上に支承されてビス固定されている。
【００２６】
上記の床構造では、鋼製大引２の側面部が床板下面側発泡樹脂断熱材４の側面部でカバーされると共に、同大引２の下面側が断熱補強用発泡樹脂断熱材５でカバーされているので、鋼製大引による断熱欠損がなくされ、高断熱の床を実現することができる。
【００２７】
しかも、床板下面側発泡樹脂断熱材４は、断熱補強用発泡樹脂断熱材５の側方突出部５ａに支承されることで、床板３の下面側に落下阻止状態に保持されているので、それらの間の断熱欠損をしっかりなくすことができると共に、床板下面側発泡樹脂断熱材４を床板３に取り付ける必要がなくなり、床板下面側発泡樹脂断熱材４の施工を容易にすることができる。
【００２８】
また、断熱補強用発泡樹脂断熱材５は束軸１ｂに取り付けられたクリップ６によって所定の高さ位置に保持されているので、断熱補強用発泡樹脂断熱材５を束軸に沿う最適な高さ位置に容易に保持させることができて、断熱補強用発泡樹脂断熱材５の施工を容易にすることができる。
【００２９】
また、根太レスであり、床板３が大引２の上に支承されているので、根太との接触あるいは接合による床鳴りを防げ、根太レスであっても、上記のように、大引２は、床下に対して断熱されているので、床の断熱性能が損なわれず、高断熱をそのまま維持することができる。
【００３０】
また、床板下面側発泡樹脂断熱材４と床板３とが非接触状態に保持されていることで、床板下面側発泡樹脂断熱材４と床板３との擦れに起因する床鳴りの発生を効果的に防ぐことができる。
【００３１】
図４〜図６に示す第２発明の実施形態は、大引レスであって根太レスであり、束１の上端部に備えられた金属製の受け部１ａに床板３が支承されている。そして、受け部１ａの下面側が断熱補強用発泡樹脂断熱材５でカバーされ、断熱補強用発泡樹脂断熱材５は、束１に設けられた高さ位置可変の保持部６に支承されて落下阻止状態に保持されており、厚さ方向の下半部は束１の受け部１ａよりも側方に突出５ａし、床板下面側発泡樹脂断熱材４が、その四隅の縁部を、断熱補強用発泡樹脂断熱材５の側方突出部５ａに支承させて、床板３の下面側に落下阻止状態に保持されている。なお、受け部１ａは、束軸１ｂに螺合され、回すことで、その高さ位置を調整し、断熱補強用発泡樹脂断熱材５の高さ位置の調整を行うことができるようになされている。
【００３２】
本実施形態では、床板下面側発泡樹脂断熱材４の四隅の縁部の厚さ方向の下半部が退入していて、そこに、断熱補強用発泡樹脂断熱材５の側方突出部５ａが入り込んでおり、それにより、床板下面側発泡樹脂断熱材４と断熱補強用発泡樹脂断熱材５との側面部の重なり寸法が大きく確保され、それらの間の断熱欠損がしっかりなくされている。
【００３３】
この床構造では、床板３の下面側が床板下面側発泡樹脂断熱材４でカバーされ、束１の受け部１ａの下面側が断熱補強用発泡樹脂断熱材５でカバーされているので、束１の受け部１ａによる断熱欠損がなくされ、高断熱の床を実現することができる。
【００３４】
しかも、床板下面側発泡樹脂断熱材４は、断熱補強用発泡樹脂断熱材５の側方突出部５ａに支承されることで、床板３の下面側に落下阻止状態に保持されているので、それらの間の断熱欠損がしっかりなくされ、また、床板下面側発泡樹脂断熱材４を床板３に取り付ける必要がなくなり、床板下面側発泡樹脂断熱材の施工を容易にすることができ、更に、図示するように、床板下面側発泡樹脂断熱材４と床板３とを非接触状態に保持することができて、床板下面側発泡樹脂断熱材４と床板３との擦れに起因する床鳴りの発生を効果的に防ぐことができる。なお、７…はスペーサーであり、床板下面側発泡樹脂断熱材４と床板３に介設されて、それらを非接触状態に保つのに役立てられているものである。８はアングル材などからなる斜材で床板３が上下方向の撓むのを防いでいる。
【００３５】
加えて、大引レスであって根太レスであるから、床の施工の省力化が可能であると共に、大引や根太との接触あるいは接合による床鳴りを防ぐことができ、また、大引レス、根太レスであっても、床板３や束１の受け部１ａは、床下に対して断熱されているので、床の断熱性能が損なわれることがなく、上記の高断熱をそのまま維持することができる。
【００３６】
図７に示す第３発明の実施形態は、床板３と鋼製大引２，２との間に、大引２の延びる方向に向けられた木、硬質発泡樹脂などからなる根太９，９が介設されると共に、床板３の下面側から前記根太９を除く他の根太が省略され、前記根太９，９間に、床板３の下面側をカバーする発泡樹脂断熱材４が備えられ、該床板下面側発泡樹脂断熱材４と根太９とによって床板３と鋼製大引２との間が断熱されているものである。
【００３７】
また、床板下面側発泡樹脂断熱材４は、その側部を根太９，９に係合保持されて、床板３の下面側に落下阻止状態に保持されている。具体的には、隣り合う根太９，９の対向側面部９ａ，９ａが、下方に向けて向き合う方向に傾斜する傾斜面に形成されると共に、床板下面側発泡樹脂断熱材４の両側面部４ａ，４ａが下方に向けて肉内方向に傾斜する傾斜面に形成され、これら傾斜面９ａ，４ａ及び９ａ，４ａ同士が係合することによって床板下面側発泡樹脂断熱材４は落下阻止状態に保持されている。
【００３８】
本実施形態の構造では、根太９が、鋼製大引２の延びる方向に向けられ、床板３と鋼製大引２との間に介設されているので、鋼製大引による断熱欠損がなくされ、高断熱の床を実現することができる。
【００３９】
しかも、根太９が、大引２の延びる方向に向けられ、大引２の上に設置されているので、根太９と大引２との間に隙間を生じるのを防ぐことができ、大引２と根太９との関係で発生していた床鳴りをなくすことができる。
【００４０】
また、本実施形態では、床板下面側発泡樹脂断熱材４が根太９に係合保持されて落下阻止状態に保持されているので、床板下面側発泡樹脂断熱材４を床板３に接着剤等で取り付ける必要がなくなり、床板下面側発泡樹脂断熱材４の施工を容易にすることができる。
【００４１】
なお、床板下面側発泡樹脂断熱材４は、工場で床板３の下面側に根太９と共に取り付けられてパネル化されてもよいし、あるいは、現場で、大引２の上に根太を設置して床板下面側発泡樹脂断熱材４を支承保持し、床板３の設置を行うというようにして施工されてもよい。また、係合保持の態様は、傾斜面に限らず、床板下面側発泡樹脂断熱材４を上から設置して係合保持されるような構成態様のものであればよい。
【００４２】
そして、本実施形態においても、床板下面側発泡樹脂断熱材４と床板３とが非接触状態に保持されており、床板下面側発泡樹脂断熱材４と床板３との擦れに起因する床鳴りの発生を効果的に防ぐことができる。
【００４３】
図８及び図９に示す第４発明の第１実施形態は、床板３が、大引２の上に、大引２の延びる方向に間隔的に配置された直方体状をしたピース物のスペーサー１０…を根太として機能させ、該スペーサー１０…を介して大引２の上に支承させると共に、床板下面側発泡樹脂断熱材４がスペーサー１０間において大引２の上に支承されて床板３の下面側に落下阻止状態に保持されている。また、本実施形態では、大引２は、鋼製大引からなり、床板下面側発泡樹脂断熱材４がスペーサー１０…を囲むようにして大引２の上面部をカバーしている。１１はビスで、各スペーサー１０…に備えられている通孔１０ａを通じて床板３と大引２とを連結している。
【００４４】
この構造では、床板下面側発泡樹脂断熱材４が大引２の上に支承されているので、床板下面側発泡樹脂断熱材４を床板３の下面側に接着剤等で取り付ける必要がなく、床板下面側発泡樹脂断熱材４の施工を容易にすることができる。
【００４５】
しかも、ピース物のスペーサー１０…の採用によって、床板３とスペーサー１０、床板下面側発泡樹脂断熱材４とスペーサー１０、大引２とスペーサー１０の各接触面積を小さくすることができて、床鳴りの発生を有効的に防ぐことができる。
【００４６】
加えて、大引２が鋼製大引からなり、床板下面側発泡樹脂断熱材４がスペーサー１０…を囲むようにして大引２の上面部をカバーしているので、鋼製大引２による断熱欠損を大幅に減らせて、高断熱の床を実現することができる。
【００４７】
そして、本実施形態においても、床板下面側発泡樹脂断熱材４と床板３とが非接触状態に保持されており、床板下面側発泡樹脂断熱材４と床板３との擦れに起因する床鳴りの発生を効果的に防ぐことができる。特に、本実施形態では、スペーサー１０…によって非接触状態を保持するようになされているので、ビス１１…の締付けを行っても、接触してしまうようなことはない。
【００４８】
なお、床板３、スペーサー１０…、床板下面側発泡樹脂断熱材４、ビス１１…は、床パネルとしてパネル化されているとよいが、それぞれを現場施工で設置するようにしてもよい。床パネル化する場合は、床板下面側発泡樹脂断熱材４は、床板３に対して接着剤で接合しないようにして組み付けるようにする。
【００４９】
１２は、ブチルテープ等の乾式粘着テープであって、スペーサー１０…と床板３との間に介設されて両者を接合一体化し、スペーサー１０…と床板３との擦れによる床鳴りの発生を効果的に防ぐのに役立てられている。ピース物のスペーサー１０…を用いることで、乾式粘着テープ１２の使用量も少なくすることができる。
【００５０】
図１０及び図１１に示す第４発明の第２実施形態では、スペーサー１０…が細筒状のピース物からなっているもので、床板下面側発泡樹脂断熱材４による大引２の上面側の断熱カバー面積を広く確保することができると共に、スペーサー１０…と床板下面側発泡樹脂断熱材との接触面接を小さくして床鳴りの発生をより一層効果的になくすことができる。
【図面の簡単な説明】
【００５１】
【図１】第１発明の実施形態の床構造を示す正面図である。
【図２】図（イ）は大引、束、断熱補強用発泡樹脂断熱材、クリップを分離状態にして示す斜視図、図（ロ−１）はそれらを設置した状態の正面図である。
【図３】図（ロ−２）は床板下面側発泡樹脂断熱材の設置方法を示す正面図、図（ロ−３）は床板の設置方法を示す正面図である。
【図４】第２発明の実施形態の床構造を示す分解斜視図である。
【図５】図（イ）は同一部断面正面図、図（ロ）は要部拡大一部断面正面図、図（ハ−１）は床板下面側発泡樹脂断熱材の設置方法を示す正面図である。
【図６】図（ハ−２）は床板下面側発泡樹脂断熱材が設置された状態の正面図、図（ハ−３）は床板の設置方法を示す一部断面正面図である。
【図７】第３発明の実施形態を示すもので、図（イ）は床板下面側発泡樹脂断熱材の保持状態を示す断面正面図、図（ロ）は要部拡大部、図（ハ−１）は根太、床板下面側発泡樹脂断熱材、床板等を分離状態にして示す断面正面図、図（ハ−１）はそれらの設置状態を示す断面正面図である。
【図８】第４発明の第１実施形態の床構造を示すもので、図（イ）はスペーサー部分における断面正面図、図（ロ）はスペーサー間における断面正面図である。
【図９】床板、スペーサー、床板下面側発泡樹脂断熱材、ビス等を分離状態にして示す斜視図である。
【図１０】第４発明の第２実施形態の床構造を示すもので、図（イ）はスペーサー部分における断面正面図、図（ロ）はスペーサー間における断面正面図である。
【図１１】床板、スペーサー、床板下面側発泡樹脂断熱材、ビス等を分離状態にして示す斜視図である。
【符号の説明】
【００５２】
１…束
１ａ…受け部
１ｂ…束軸
２…大引
３…床板
４…床板下面側発泡樹脂断熱材
５…断熱補強用発泡樹脂断熱材
５ａ…側方突出部
６…クリップ（保持部）
９…根太
１０…スペーサー
【図１】
2006283419.tif 000003
【図２】
2006283419.tif 000004
【図３】
2006283419.tif 000005
【図４】
2006283419.tif 000006
【図５】
2006283419.tif 000007
【図６】
2006283419.tif 000008
【図７】
2006283419.tif 000009
【図８】
2006283419.tif 000010
【図９】
2006283419.tif 000011
【図１０】
2006283419.tif 000012
【図１１】
2006283419.tif 000013